(57)【要約】【課題】お経や梵字、仏像などを刻んだ回転板を、手で回転させることにより音が発生する音発生機構を設けた回転供養塔を提供するものである。【解決手段】円形の石板１４で形成された回転板７を軸受ブラケット１０に回転自在に支持し、石柱２の前後面を開口した縦溝６を形成し、この縦溝６の内側に、前記回転板７を支持した軸受ブラケット１０を挿着して、回転板７の周面側が前記縦溝６の前面から突出するようにした回転供養塔において、前記石板１４の回転中心に貫通させた回転軸９を金属パイプ２０で形成して一体に接合し、この金属パイプ２０の内側に鈴２１を装着し、この金属パイプ２０の両端を、前記ブラケット１０に取付けられた軸受２４で回転自在に支持すると共に、この軸受２４に内部と外部を連通する貫通孔２４ｃを開孔して、回転板７を手で回転することにより鈴２１が音を発生し、貫通孔２４ｃから外部に伝達するようにしたものである。【選択図】  図４
2007217964.tif 000002
【特許請求の範囲】
【請求項１】
円形の石板で形成された回転板を軸受ブラケットに回転自在に支持し、石柱の少なくとも前面を開口した縦溝を形成し、この縦溝の内側に、前記回転板を支持した軸受ブラケットを挿着して、回転板の周面側が前記縦溝の前面から突出して回転するようにした回転供養塔において、前記回転板の回転中心に貫通させた回転軸を金属パイプで形成して回転板に一体に接合し、この金属パイプの内側に、回転により音を発生する音発生部材を装着し、この金属パイプの両端を、前記ブラケットに取付けられた軸受で回転自在に支持すると共に、この軸受に内部と外部を連通する貫通孔を開孔して構成し、前記回転板を手で回転することにより、音発生部材が衝突して音を発生し、軸受の貫通孔から外部に伝達するようにしたことを特徴とする回転供養塔。
【請求項２】
音発生部材が鈴、ベル、金属球、金属塊、ガラス塊、石塊の何れか１種または２種以上を混合して形成されていることを特徴とする請求項１記載の回転供養塔。
【請求項３】
内部と外部を連通する貫通孔を開孔した軸受の前記貫通孔を、回転軸側から外側に向かって下方に傾斜して形成したことを特徴とする請求項１記載の回転供養塔。
【発明の詳細な説明】
【技術分野】
【０００１】
本発明は墓や寺に設置する回転供養塔に関するものである。
【背景技術】
【０００２】
一般に寺などには、木製の円板にお経や梵字、仏像などを刻んだ回転板を、木製の支柱に取付け、これを手で回転させることにより、お経を上げたと同じ供養をする回転供養塔がある。しかしながら、このような木製の回転供養塔は風雨に長期間晒される個々の墓には耐久性がないので設置されていない。
【０００３】
また一般のお墓には石塔や、この前に線香を供える香炉、戒名を刻んだ墓誌、塔婆立など石材で形成されたものが設置されているが、これらは重量物で固定されたもので回転構造のものがない。
【０００４】
このため、本発明者は先に、円形の石板で形成された回転板を軸受ブラケットに回転自在に支持し、石柱に横方向に貫通する縦溝を形成し、この縦溝の内側に、前記回転板を支持した軸受ブラケットを挿着して、回転板の周面側が縦溝から突出して回転するようにした回転供養塔（例えば特許文献１）を先に開発し、個々の墓に設置できるようにした。
【０００５】
この結果、個々のお墓に石材製の回転供養塔を設置することにより、子供でもお経や梵字、仏像などを刻んだ回転板を容易に手で回転させることができ好評を得ている。また墓参に来たことを先祖に対して知らせるために、回転板を回転させることにより、音が発生する機構があれば、更に子供でも墓参にくる楽しみが増すことから、その機構の開発が望まれていた。
【特許文献１】特開平１０−２２００７２号公報
【発明の開示】
【発明が解決しようとする課題】
【０００６】
本発明は上記問題を改善し、お経や梵字、仏像などを刻んだ回転板を、手で回転させることにより音が発生して、回転機構と音の発生機構とを併せて設けた回転供養塔を提供するものである。
【課題を解決するための手段】
【０００７】
本発明の請求項１記載の回転供養塔は、円形の石板で形成された回転板を軸受ブラケットに回転自在に支持し、石柱の少なくとも前面を開口した縦溝を形成し、この縦溝の内側に、前記回転板を支持した軸受ブラケットを挿着して、回転板の周面側が前記縦溝の前面から突出して回転するようにした回転供養塔において、前記回転板の回転中心に貫通させた回転軸を金属パイプで形成して回転板に一体に接合し、この金属パイプの内側に、回転により音を発生する音発生部材を装着し、この金属パイプの両端を、前記ブラケットに取付けられた軸受で回転自在に支持すると共に、この軸受に内部と外部を連通する貫通孔を開孔して構成し、前記回転板を手で回転することにより、音発生部材が衝突して音を発生し、軸受の貫通孔から外部に伝達するようにしたことを特徴とするものである。
【０００８】
本発明の請求項２記載の回転供養塔は、音発生部材が鈴、ベル、金属球、金属塊、ガラス塊、石塊の何れか１種または２種以上を混合して形成されていることを特徴とするものである。
【０００９】
本発明の請求項３記載の回転供養塔は、内部と外部を連通する貫通孔を開孔した軸受の前記貫通孔を、回転軸側から外側に向かって下方に傾斜して形成したことを特徴とするものである。
【発明の効果】
【００１０】
本発明に係る請求項１記載の回転供養塔によれば、回転板の縦溝の前面から突出した周面に手を当てて手前に廻すと回転板が容易に回転し、ここに刻まれたお経や梵字などの文字が回転し、お経を上げたのと同じ供養をすることができる。
【００１１】
またこの時、回転板と共に回転軸が回転するので、金属パイプで形成されている回転軸の中に入れた鈴などの音発生部材が回転して、音を発生すると共に、金属パイプの内面で衝突して音を発生し、この音が軸受に形成した貫通孔を通して外部に伝達され、鈴の音が周囲に聞こえる。
【００１２】
また請求項２記載の回転供養塔によれば、発生部材が鈴、ベル、金属球、金属塊、ガラス塊、石塊の何れか１種または２種以上を混合して形成されているので、回転により種々の音を発生させることができる。
【００１３】
また請求項３記載の回転供養塔によれば、内部と外部を連通する貫通孔を開孔した軸受の貫通孔を、回転軸側から外側に向かって下方に傾斜して形成しているので、開口部から吹き込んだ雨が、貫通孔から回転軸内に浸入しにくく、また万一、浸入しても排水が容易である。
【発明を実施するための最良の形態】
【００１４】
以下本発明の実施の一形態を図１ないし図６を参照して詳細に説明する。図１および図２は回転供養塔を示すもので、石材で形成された台１の上に石柱２が立設されている。この石柱２の上部に笠３が設けられ、更にこの上部にクリン４とギボシ５が重ねられている。前記石柱２の上部側には、横方向に貫通する縦溝６が形成され、縦溝６内に円板状の石材で形成した回転板７が回転自在に支持され、その周面側が図１に示すように縦溝６の前後両面の開口部６ａから突出して回転するようになっている。
【００１５】
また回転板７の両面には、お経や梵字などの文字８や仏像が刻まれている。この回転板７の支持機構は図３および図４に示すように、ステンレスなどの金属板で形成された軸受ブラケット１０に、回転板７の中心に貫通して固定した回転軸９が回動自在に支持されている。この軸受ブラケット１０は図５に示すように、長方形状の取付板１１の底面両側に、間隔をおいて２枚の軸受板１２、１２を接合し、ここに軸受挿通孔１３、１３が開孔されている。この２枚の軸受板１２、１２の取付け間隔は図３に示すように、石柱２に形成した縦溝６の両面開口部６ａの横幅より大きく形成されている。
【００１６】
また回転板７は図４に示すように、リング状の石板１４の中央部分に樹脂１６を流し込んで、この中心を芯出して軸貫通孔１７が開孔されている。この軸貫通孔１７に挿着された回転軸９は、接着剤で回転板７に一体に固定されている。この回転軸９はステンレスなどの金属パイプ２０で形成されている。この金属パイプ２０で形成された回転軸９の内側には２個のサイコロ状に形成された鈴２１が入れられている。
【００１７】
また回転軸９の両端内周には環状の段部２３が形成されて、ここに軸受２４の先端部が遊嵌状に挿着され、回転軸９の両端がこの軸受２４、２４に支持されて回転板７が回転するようになっている。
【００１８】
前記軸受２４は、フランジ部２４ａと円筒部２４ｂとで形成され、この内側には回転軸９側から外側に向かって下方に傾斜した貫通孔２４ｃが開孔されている。また円筒部２４ｂの中間外周には環状の水抜き溝２４ｄが形成されている。この軸受２４は、円筒部２４ｂを軸受板１２の軸受挿通孔１３に挿着して、その先端を回転軸９の両端内周の段部２３に挿入して回転自在に支持すると共に、フランジ部２４ａを軸受板１２にボルト２５で固定されている
【００１９】
また、石柱２の内部には、縦溝６の平面から見た中心側に、図６に示すように縦溝６の開口部６ａの幅より内幅が大きく、深さが軸受ブラケット１０の高さよりやや深い挿着溝２２が形成されている。この挿着溝２２の内側に、回転板７を取付けた軸受ブラケット１０を挿入し、回転板７の周面を縦溝６の前後両面の開口部６ａ、６ａから外側に突出させ、図３に示すように上部の取付板１１を石柱２の上部に固定して、回転板７を吊り下げた状態で挿着溝２２内に支持する。この後、笠３とクリン４とギボシ５を重ねて図１に示すように組み合わせて完成させる。
【００２０】
上記構成の回転供養塔は、回転板７の縦溝６の前面から突出した周面に手を当てて手前に廻すと回転板７が容易に回転し、ここに刻まれたお経や梵字などの文字８が回転し、お経を上げたのと同じ供養をすることができる。この時、回転板７は石材で形成された重量物であるが、この中心に貫通させた回転軸９が、両側で軸受２４、２４に支持されているので子供でも滑らかに回転させることができる。
【００２１】
また回転板７と共に回転軸９が回転するので、この金属パイプ２０で形成されている回転軸９の中に入れたサイコロ状の鈴２１も回転して、鈴の音を発生すると共に、金属パイプ２０の内面で衝突して音を発生し、この音が軸受２４に形成した貫通孔２４ｃを通して外部に伝達され、鈴の音が周囲に聞こえる。従って回転板７をゆっくり回転させても鈴２１が金属パイプ２０内を転がるので、鈴の音が高く聞こる。このように回転板７を回転させて、お経を上げたと同じ供養をすると共に、墓参に来たことを先祖に知らせる気持ちを表すことができる。
【００２２】
また軸受２４に形成した貫通孔２４ｃは、回転軸９側から外側に向かって下方に傾斜しているので、開口部６ａから吹き込んだ雨が、貫通孔２４ｃから回転軸９内に浸入しにくく、また万一、浸入しても排水される。更に円筒部２４ｂの中間外周にも環状の水抜き溝２４ｄが形成されているので、ここに雨が付着しても速やかに下方に流下させることができる。
【００２３】
また回転板９を支持する軸受ブラケット１０は図６に示すように、縦溝６の平面から見た中心側に、縦溝６の両面開口部６ａの幅より内幅を大きく形成した挿着溝２２内に挿着してあるので、開口部６ａより幅の大きい軸受ブラケット１０の軸受板１２が見えず支持機構が外部から分からない。
【００２４】
図７は本発明の他の実施の形態を示すもので、台１の上に石柱２が立設され、この石柱２の上部に玉石２６と笠３、およびギボシ５が重ねられている。前記石柱２の下部側には、前後両面に貫通する縦溝６が形成されている。また縦溝６の平面から見た中心側に、縦溝６の両面開口部６ａ、６ａの幅より内幅が大きい挿着溝２２が形成されている。
【００２５】
また軸受ブラケット１０は図４と同様に形成され、取付板１１を反転させて台１の上に置き、この上から石柱２を載せて軸受ブラケット１０を挿着溝２２内に挿着したものである。この回転軸９の内側にはサイコロ状に形成された鈴２１が入れられ、発生した音が軸受２４に形成した貫通孔２４ｃを通して外部に伝達される機構は図４と同様である。
【００２６】
図８は親柱の上に載せる本発明の他の実施の形態による回転供養塔を示すもので、台１の上に前面下部が前方に傾斜した石柱２が立設され、この石柱２の上部に火袋２７を載せ、前記石柱２の前面のみを開口した縦溝６が形成されている。この縦溝６の内側に軸受ブラケット１０が取付けられ、ここに回転板７がその前面だけを縦溝６から外側に突出して回転自在に取付けられている。この回転軸９に設けた音発生機構は図４と同様である。
【００２７】
なお上記説明では回転軸９の中にサイコロ状の鈴２１を２個入れた場合について示したが１個あるいは３個以上でも良い。また鈴２１はサイコロ状に限らず球状のものでも良いが、サイコロ状のものは金属パイプ内面との滑りが少なく、ゆっくり廻しても高い音を発生させることができる。また音発生部材としては鈴に限らずベルや金属球、金属塊、ガラス塊、石塊でも良く、また２種以上を混合して入ても良い。更に金属パイプ内面に邪魔板を設けて音発生部材の回転と衝突を促進させるようにしても良い。
【図面の簡単な説明】
【００２８】
【図１】本発明の実施の一形態による回転供養塔の側面図である。
【図２】図１に示す回転供養塔の正面図である。
【図３】図２に示す回転供養塔の要部を拡大して示す断面図である。
【図４】図３に示す回転供養塔の回転軸部分を拡大して示す断面図である。
【図５】回転板を支持した軸受ブラケットの斜視図である。
【図６】図３の水平断面図である。
【図７】本発明の他の実施の形態による、回転供養塔の要部を破断して示す正面図である。
【図８】本発明の他の実施の形態による、回転供養塔の斜視図である。
【符号の説明】
【００２９】
１    台                                                    
２    石柱                                                  
３    笠                                                    
６    縦溝                                                  
６ａ  開口部                                                
７    回転板                                                
８    お経や梵字などの文字                                  
９    回転軸                                                
１０  軸受ブラケット                                        
１１  取付板                                                
１２  軸受板                                                
１４  石板                                                  
１６  樹脂                                                  
２０  金属パイプ                                            
２１  鈴                                                    
２２  挿着溝    
２４  軸受    
２４ａ  フランジ部  
２４ｂ  円筒部  
２４ｃ  貫通孔  
【図１】
2007217964.tif 000003
【図２】
2007217964.tif 000004
【図３】
2007217964.tif 000005
【図４】
2007217964.tif 000006
【図５】
2007217964.tif 000007
【図６】
2007217964.tif 000008
【図７】
2007217964.tif 000009
【図８】
2007217964.tif 000010